【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
Ａ）式（Ｉ）
【化１】
2011508660.tif 000001
（式中、Ｊはビスフェノールエポキシ樹脂の残基であり、Ｒ1、Ｒ2、Ｒ3およびＲ4の各々は、独立して、Ｈ、Ｃ1〜Ｃ4アルキル、Ｃ1〜Ｃ6ヒドロキシアルキル、炭素環含有部分または複素環含有部分からなる群から選択され、Ｒ1およびＲ2またはＲ3およびＲ4は一緒になって環式構造を形成してもよく、アミン基はカルボン酸により８０％〜１００％中和されている）のアミノ化エポキシ樹脂；
Ｂ）アルコキシル化スチレン化フェノール；および
Ｃ）水
から本質的になり、揮発性有機溶媒を本質的に含まない顔料分散剤。
【請求項２】
Ａ）式（Ｉ）
【化２】
2011508660.tif 000002
（式中、Ｊはビスフェノールエポキシ樹脂の残基であり、Ｒ1、Ｒ2、Ｒ3およびＲ4の各々は、独立して、Ｈ、Ｃ1〜Ｃ4アルキル、Ｃ1〜Ｃ6ヒドロキシアルキル、炭素環含有部分または複素環含有部分からなる群から選択され、Ｒ1およびＲ2またはＲ3およびＲ4は一緒になって環式構造を形成してもよく、アミン基はカルボン酸により８０％〜１００％中和されている）のアミノ化エポキシ樹脂；
Ｂ）アルコキシル化スチレン化フェノール
から本質的になり、揮発性有機溶媒を本質的に含まない顔料分散性樹脂。
【請求項３】
電着性結合剤組成物と顔料分散剤と顔料とを含む陽極電着組成物であって、前記顔料分散剤が、
Ａ）式（Ｉ）
【化３】
2011508660.tif 000003
（式中、Ｊはビスフェノールエポキシ樹脂の残基であり、Ｒ1、Ｒ2、Ｒ3およびＲ4の各々は、独立して、Ｈ、Ｃ1〜Ｃ4アルキル、Ｃ1〜Ｃ6ヒドロキシアルキル、炭素環含有部分または複素環含有部分からなる群から選択され、Ｒ1およびＲ2またはＲ3およびＲ4は一緒になって環式構造を形成してもよく、アミン基はカルボン酸により８０％〜１００％中和されている）のアミノ化エポキシ樹脂；
Ｂ）アルコキシル化スチレン化フェノール；および
Ｃ）水
から本質的になり、前記顔料分散剤が揮発性有機溶媒を本質的に含まない陽極電着組成物。
【請求項４】
基材上に被膜を形成する方法であって、導電性基材上に電着性塗料組成物を沈着させる工程と前記沈着した電着性塗料組成物を硬化させる工程とを含み、前記電着性塗料組成物が顔料分散剤と顔料とを含み、前記顔料分散剤が、
Ａ）式（Ｉ）
【化４】
2011508660.tif 000004
（式中、Ｊはビスフェノールエポキシ樹脂の残基であり、Ｒ1、Ｒ2、Ｒ3およびＲ4の各々は、独立して、Ｈ、Ｃ1〜Ｃ4アルキル、Ｃ1〜Ｃ6ヒドロキシアルキルからなる群から選択され、アミン基はカルボン酸により８０％〜１００％中和されている）のアミノ化エポキシ樹脂；
Ｂ）アルコキシル化スチレン化フェノール
から本質的になり、前記顔料分散剤が揮発性有機溶媒を本質的に含まない方法。
【手続補正２】
【補正対象書類名】明細書
【補正対象項目名】００７９
【補正方法】変更
【補正の内容】
【００７９】
Ｇｅｎｅｒａｌ  Ｍｏｔｏｒｓ試験方法ＧＭ９５１１Ｐ、２０サイクル衝撃剥離およびＧＭ９５４０Ｐ、４０サイクル促進に準拠して腐蝕試験を実施した。
次に、本発明の態様を示す。
１.  Ａ）式（Ｉ）
【化１】
2011508660.tif 000005
（式中、Ｊはビスフェノールエポキシ樹脂の残基であり、Ｒ1、Ｒ2、Ｒ3およびＲ4の各々は、独立して、Ｈ、Ｃ1〜Ｃ4アルキル、Ｃ1〜Ｃ6ヒドロキシアルキル、炭素環含有部分または複素環含有部分からなる群から選択され、Ｒ1およびＲ2またはＲ3およびＲ4は一緒になって環式構造を形成してもよく、アミン基はカルボン酸により８０％〜１００％中和されている）のアミノ化エポキシ樹脂；
Ｂ）アルコキシル化スチレン化フェノール；および
Ｃ）水
から本質的になり、揮発性有機溶媒を本質的に含まない顔料分散剤。
２.  前記アルコキシル化スチレン化フェノールが
式（ＩＩＩ）
【化２】
2011508660.tif 000006
（式中、ＹはＣ1〜Ｃ4アルキルであり、Ｒ9はＨまたはＣＨ3であり、ＺはＣ1〜Ｃ4アルキルまたは芳香族基であり、Ｒ10はＣ1〜Ｃ4アルキルであり、ｘは平均で１〜３を表し、ａは０〜２であり、ｂは０〜２であり、ｃは２〜３０である）による化合物である上記１に記載の顔料分散剤。
３.  Ａ）式（Ｉ）
【化３】
2011508660.tif 000007
（式中、Ｊはビスフェノールエポキシ樹脂の残基であり、Ｒ1、Ｒ2、Ｒ3およびＲ4の各々は、独立して、Ｈ、Ｃ1〜Ｃ4アルキル、Ｃ1〜Ｃ6ヒドロキシアルキル、炭素環含有部分または複素環含有部分からなる群から選択され、Ｒ1およびＲ2またはＲ3およびＲ4は一緒になって環式構造を形成してもよく、アミン基はカルボン酸により８０％〜１００％中和されている）のアミノ化エポキシ樹脂；
Ｂ）アルコキシル化スチレン化フェノール
から本質的になり、揮発性有機溶媒を本質的に含まない顔料分散性樹脂。
４.  前記アルコキシル化スチレン化フェノールが
式（ＩＩＩ）
【化４】
2011508660.tif 000008
（式中、ＹはＣ1〜Ｃ4アルキルであり、Ｒ9はＨまたはＣＨ3であり、ＺはＣ1〜Ｃ4アルキルまたは芳香族基であり、Ｒ10はＣ1〜Ｃ4アルキルであり、ｘは平均で１〜３を表し、ａは０〜２であり、ｂは０〜２であり、ｃは２〜３０である）による化合物である上記３に記載の顔料分散性樹脂。
５.  電着性結合剤組成物と顔料分散剤と顔料とを含む陽極電着組成物であって、前記顔料分散剤が、
Ａ）式（Ｉ）
【化５】
2011508660.tif 000009
（式中、Ｊはビスフェノールエポキシ樹脂の残基であり、Ｒ1、Ｒ2、Ｒ3およびＲ4の各々は、独立して、Ｈ、Ｃ1〜Ｃ4アルキル、Ｃ1〜Ｃ6ヒドロキシアルキル、炭素環含有部分または複素環含有部分からなる群から選択され、Ｒ1およびＲ2またはＲ3およびＲ4は一緒になって環式構造を形成してもよく、アミン基はカルボン酸により８０％〜１００％中和されている）のアミノ化エポキシ樹脂；
Ｂ）アルコキシル化スチレン化フェノール；および
Ｃ）水
から本質的になり、前記顔料分散剤が揮発性有機溶媒を本質的に含まない陽極電着組成物。
６.  前記電着性結合剤組成物の重量を基準にして１〜１５重量％の前記顔料分散剤を含む上記５に記載の陽極電着組成物。
７.  前記アルコキシル化スチレン化フェノールが
式（ＩＩＩ）
【化６】
2011508660.tif 000010
（式中、ＹはＣ1〜Ｃ4アルキルであり、Ｒ9はＨまたはＣＨ3であり、ＺはＣ1〜Ｃ4アルキルまたは芳香族基であり、Ｒ10はＣ1〜Ｃ4アルキルであり、ｘは平均で１〜３を表し、ａは０〜２であり、ｂは０〜２であり、ｃは２〜３０である）による化合物である上記５に記載の陽極電着組成物。
８.  Ｒ1、Ｒ2、Ｒ3およびＲ4の各々が−ＣＨ2−ＣＨ2ＯＨである上記５に記載の陽極電着組成物。
９.  前記ビスフェノールエポキシ樹脂が、アミノ化される前に、３００超から５００未満のエポキシ当量を有する上記５に記載の陽極電着組成物。
１０.  前記カルボン酸が乳酸である上記５に記載の陽極電着組成物。
１１.  顔料対顔料分散剤の比が５：１以上である上記５に記載の陽極電着組成物。
１２.  基材上に被膜を形成する方法であって、導電性基材上に電着性塗料組成物を沈着させる工程と前記沈着した電着性塗料組成物を硬化させる工程とを含み、前記電着性塗料組成物が顔料分散剤と顔料とを含み、前記顔料分散剤が、
Ａ）式（Ｉ）
【化７】
2011508660.tif 000011
（式中、Ｊはビスフェノールエポキシ樹脂の残基であり、Ｒ1、Ｒ2、Ｒ3およびＲ4の各々は、独立して、Ｈ、Ｃ1〜Ｃ4アルキル、Ｃ1〜Ｃ6ヒドロキシアルキルからなる群から選択され、アミン基はカルボン酸により８０％〜１００％中和されている）のアミノ化エポキシ樹脂；
Ｂ）アルコキシル化スチレン化フェノール
から本質的になり、前記顔料分散剤が揮発性有機溶媒を本質的に含まない方法。
１３.  前記顔料分散剤が上記１に記載のものであり、アミノ化される前に前記ビスフェノールエポキシ樹脂が３００超〜５００未満のエポキシ当量を有する上記１２に記載の方法。
１４.  前記顔料分散剤が上記１に記載のものであり、前記カルボン酸が乳酸である上記１２に記載の方法。
１５.  前記顔料分散剤が上記１に記載のものであり、Ｒ1、Ｒ2、Ｒ3およびＲ4の各々が−ＣＨ2−ＣＨ2ＯＨである上記１２に記載の方法。
１６.  顔料対顔料分散剤の比が５：１以上である上記１２に記載の方法。
１７.  前記アルコキシル化スチレン化フェノールが
式（ＩＩＩ）
【化８】
2011508660.tif 000012
（式中、ＹはＣ1〜Ｃ4アルキルであり、Ｒ9はＨまたはＣＨ3であり、ＺはＣ1〜Ｃ4アルキルまたは芳香族基であり、Ｒ10はＣ1〜Ｃ4アルキルであり、ｘは平均で１〜３を表し、ａは０〜２であり、ｂは０〜２であり、ｃは２〜３０である）による化合物である上記１２に記載の方法。